(57)【特許請求の範囲】
【請求項１】
各ユーザ端末を受信品質に基づいてセル中心端末とセル端端末に区別する通信システムの基地局において、
他の基地局から送信される、周辺セルのセル端端末が前記周辺セルで実際に割り当てられているセル端帯域を示すセル端帯域情報を受信する受信部と、
前記受信部によって受信される複数の周辺セルの前記セル端帯域情報に基づいて、帯域ごとに、当該帯域をセル端帯域として割り当てを行っている周辺セルまたは基地局の数を、前記周辺セルごとに異なる係数により重み付けして積算し、積算結果が小さい帯域ほど優先的に自セルのセル端帯域として決定する決定部と、
前記決定部によって決定されたセル端帯域によって自セルのセル端端末との間で通信を行う通信部と、
を備えることを特徴とする基地局。
【請求項２】
前記通信部は、前記セル端端末とは異なる帯域によって自セルのセル中心端末との間で通信を行い、
前記通信部は、前記セル中心端末との通信に用いる送信電力よりも大きな送信電力を用いて前記セル端端末と通信を行うことを特徴とする請求項１に記載の基地局。
【請求項３】
自セルは複数のセクタを含み、
前記決定部は、前記セクタごとのセル端帯域をそれぞれ決定することを特徴とする請求項１または２に記載の基地局。
【請求項４】
各ユーザ端末を受信品質に基づいてセル中心端末とセル端端末に区別する通信システムの基地局において、
他の基地局から送信される、周辺セルのセル端端末が前記周辺セルで実際に割り当てられているセル端帯域を示すセル端帯域情報を受信する受信部と、
自セルのユーザ端末において測定された前記周辺セルからの受信電力を示す受信電力情報を受信する電力情報受信部と、
前記受信部によって受信される複数の周辺セルの前記セル端帯域情報および前記電力情報受信部によって受信された前記受信電力情報に基づいて、帯域ごとに、当該帯域をセル端帯域として割り当てを行っている周辺セルまたは基地局の数を、前記受信電力が大きい端末が多い周辺セルほど大きな係数により重み付けして積算し、積算結果が小さい帯域ほど優先的に自セルのセル端帯域として決定する決定部と、
前記決定部によって決定されたセル端帯域によって自セルのセル端端末との間で通信を行う通信部と、
を備えることを特徴とする基地局。
【請求項５】
前記周辺セルの基地局において決定されたセル端帯域の前記積算結果を受信する積算結果受信部を備え、
前記決定部は、前記積算結果受信部によって受信された積算結果によって重み付けして前記帯域の数を積算することを特徴とする請求項４に記載の基地局。
【請求項６】
各ユーザ端末を受信品質に基づいてセル中心端末とセル端端末に区別する通信システムの基地局において、
他の基地局から送信される、周辺セルのセル端端末が前記周辺セルで実際に割り当てられているセル端帯域を示すセル端帯域情報を受信する受信部と、
前記周辺セルの基地局における自セルに対応する係数を受信する係数受信部と、
前記受信部によって受信される複数の周辺セルの前記セル端帯域情報に基づいて、帯域ごとに、当該帯域をセル端帯域として割り当てを行っている周辺セルまたは基地局の数を、前記係数受信部によって受信された係数によって重み付けして積算し、積算結果が小さい帯域ほど優先的に自セルのセル端帯域として決定する決定部と、
前記決定部によって決定されたセル端帯域によって自セルのセル端端末との間で通信を行う通信部と、
を備えることを特徴とする基地局。
【請求項７】
受信品質に基づいてセル中心端末とセル端端末に区別されるユーザ端末と、
他の基地局から送信される、周辺セルでセル端端末に実際に割り当てられているセル端帯域を示すセル端帯域情報を受信し、複数の周辺セルの前記セル端帯域情報に基づいて、帯域ごとに、当該帯域をセル端帯域として割り当てを行っている周辺セルまたは基地局の数を、前記周辺セルごとに異なる係数により重み付けして積算し、積算結果が小さい帯域ほど優先的に自セルのセル端帯域として決定し、決定したセル端帯域によって自セルのセル端端末との間で通信を行う基地局と、
を含むことを特徴とする通信システム。
【請求項８】
各ユーザ端末を受信品質に基づいてセル中心端末とセル端端末に区別する通信システムの基地局の通信方法において、
他の基地局から送信される、周辺セルのセル端端末が前記周辺セルで実際に割り当てられているセル端帯域を示すセル端帯域情報を受信する受信工程と、
前記受信工程によって受信された複数の周辺セルの前記セル端帯域情報に基づいて、帯域ごとに、当該帯域をセル端帯域として割り当てを行っている周辺セルまたは基地局の数を、前記周辺セルごとに異なる係数により重み付けして積算し、積算結果が小さい帯域ほど優先的に自セルのセル端帯域として決定する決定工程と、
前記決定工程によって決定されたセル端帯域によって自セルのセル端端末との間で通信を行う通信工程と、
を含むことを特徴とする通信方法。
【請求項９】
受信品質に基づいてセル中心端末とセル端端末に区別されるユーザ端末と、
他の基地局から送信される、周辺セルでセル端端末に実際に割り当てられているセル端帯域を示すセル端帯域情報を受信し、自セルのユーザ端末において測定された前記周辺セルからの受信電力を示す受信電力情報を受信し、複数の周辺セルの前記セル端帯域情報および前記受信電力情報に基づいて、帯域ごとに、当該帯域をセル端帯域として割り当てを行っている周辺セルまたは基地局の数を、前記受信電力が大きい端末が多い周辺セルほど大きな係数により重み付けして積算し、積算結果が小さい帯域ほど優先的に自セルのセル端帯域として決定し、決定したセル端帯域によって自セルのセル端端末との間で通信を行う基地局と、
を含むことを特徴とする通信システム。
【請求項１０】
各ユーザ端末を受信品質に基づいてセル中心端末とセル端端末に区別する通信システムの基地局の通信方法において、
他の基地局から送信される、周辺セルのセル端端末が前記周辺セルで実際に割り当てられているセル端帯域を示すセル端帯域情報を受信する受信工程と、
自セルのユーザ端末において測定された前記周辺セルからの受信電力を示す受信電力情報を受信する電力情報受信工程と、
前記受信工程によって受信された複数の周辺セルの前記セル端帯域情報および前記電力情報受信工程によって受信された前記受信電力情報に基づいて、帯域ごとに、当該帯域をセル端帯域として割り当てを行っている周辺セルまたは基地局の数を、前記受信電力が大きい端末が多い周辺セルほど大きな係数により重み付けして積算し、積算結果が小さい帯域ほど優先的に自セルのセル端帯域として決定する決定工程と、
前記決定工程によって決定されたセル端帯域によって自セルのセル端端末との間で通信を行う通信工程と、
を含むことを特徴とする通信方法。
【発明の詳細な説明】
【技術分野】
【０００１】
本発明は、無線通信を行う基地局、通信システムおよび通信方法に関する。
【背景技術】
【０００２】
３．９世代携帯電話システムであるＬＴＥ（Ｌｏｎｇ  Ｔｅｒｍ  Ｅｖｏｌｕｔｉｏｎ）システムにおいては、下りリンクで周波数繰り返し数が１のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ）が採用された。このため、セル境界においてはセル間干渉が増大してスループットの劣化を招くことが懸念され、ＦＦＲ（Ｆｒａｃｔｉｏｎａｌ  Ｆｒｅｑｕｅｎｃｙ  Ｒｅｕｓｅ）の技術を用いたＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ）の適用が検討されている（たとえば、下記非特許文献１，２参照。）。
【０００３】
ＬＴＥのＩＣＩＣにおいては、帯域ごとの送信電力のレベルを表わす信号であるＲＮＴＰ（Ｒｅｌａｔｉｖｅ  Ｎａｒｒｏｗｂａｎｄ  Ｔｒａｎｓｍｉｓｓｉｏｎ  Ｐｏｗｅｒ）が基地局間で交換される。ＲＮＴＰを用いることにより、静的なＦＦＲと比べて干渉低減効果を向上させることが可能であると考えられる。
【０００４】
また、現実の環境では、さまざまな基地局配置や電波伝搬環境により入り組んだセル形状になることや、時間帯により各ＵＥ（Ｕｓｅｒ  Ｅｑｕｉｐｍｅｎｔ：ユーザ端末）の分布が変化することなどが考えられる。このため、複雑な環境の変化に適応して常にＩＣＩＣの効果が得られるようにＲＮＴＰを利用するアルゴリズムの開発が求められている。
【０００５】
セル間で情報のやり取りを行なわない従来のＦＦＲ方式においては、まずシステム帯域を複数の帯域に分割し、その一部をセル端帯域として決定する。セル端帯域は、周辺セル間でなるべく異なるように、各セルにおいてセル固有のパラメータとして設定される（たとえば、下記非特許文献３参照。）。
【０００６】
基地局のスケジューラは、各ＵＥの平均ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）などを元にセル内のＵＥをセル端端末とセル中心端末に区別し、セル端端末をセル端帯域にスケジューリングする。さらに、セル端端末に対しては相対的に大きな電力で送信し、セル中心端末には相対的に小さい電力で送信することで、セル端端末における干渉を抑える。
【先行技術文献】
【非特許文献】
【０００７】
【非特許文献１】Ａ．Ｓｉｍｏｎｓｓｏｎ，他、“Ｆｒｅｑｕｅｎｃｙ  Ｒｅｕｓｅ  ａｎｄ  Ｉｎｔｅｒｃｅｌｌ  Ｉｎｔｅｒｆｅｒｅｎｃｅ  Ｃｏ−ｏｒｄｉｎａｔｉｏｎ  ｉｎ  Ｅ−ＵＴＲＡ”、ＶＴＣ２００７−Ｓｐｒｉｎｇ．、ｐ．３０９１−３０９５、２００７年
【非特許文献２】ウー  ジャンミン，他、「ステップ関数を用いた適応型周波数再利用方式の検討」、社団法人  電子情報通信学会  信学技報，ｖｏｌ．１０８，ｎｏ．３９１  ＲＣＳ２００８−１７８，ｐ．３５−３８，２００９年
【非特許文献３】“ＯＦＤＭＡ  Ｄｏｗｎｌｉｎｋ  ｉｎｔｅｒ−ｃｅｌｌ  ｉｎｔｅｒｆｅｒｅｎｃｅ  ｍｉｔｉｇａｔｉｏｎ”、３ＧＰＰ  ＴＳＧ  ＲＡＮ  ＷＧ１  Ｍｅｅｔｉｎｇ  ＃４４  Ｒ１−０６０２９１、Ｄｅｎｖｅｒ，Ｃｏｌｏｒａｄｏ，Ｆｅｂｒｕａｒｙ  １３−１７，２００６
【発明の概要】
【発明が解決しようとする課題】
【０００８】
しかしながら、上述した従来技術では、現実の環境下においては、セル端端末を割り当てるセル端帯域を適切に決定することが困難であり、セル端端末の干渉を効率的に抑えることができないという問題がある。複雑なセル形状を持つセル配置においては、セル端帯域の決定がさらに困難である。なお、このような問題は、ＬＴＥシステムに限らず、無線通信を行う他の通信システムにおいても生じる可能性がある。
【０００９】
開示の基地局、通信システムおよび通信方法は、上述した問題点を解消するものであり、セル端端末に与えられる干渉を抑えることを目的とする。
【課題を解決するための手段】
【００１０】
上述した課題を解決し、目的を達成するため、開示技術は、各ユーザ端末を受信品質に基づいてセル中心端末とセル端端末に区別する通信システムにおいて、他の基地局から送信される、周辺セルのセル端端末が前記周辺セルで実際に割り当てられているセル端帯域を示すセル端帯域情報を受信し、受信される複数の周辺セルのセル端帯域情報に基づいて自セルのセル端帯域を決定し、決定されたセル端帯域によって自セルのセル端端末との間で通信を行うことを要件とする。
【発明の効果】
【００１１】
開示の基地局、通信システムおよび通信方法によれば、セル端端末の干渉を抑えることができるという効果を奏する。
【図面の簡単な説明】
【００１２】
【図１】実施の形態１にかかる通信システムの構成例を示す図である。
【図２】セル内のＵＥによる受信品質の測定を示す図である。
【図３】実施の形態１にかかる基地局の構成例を示すブロック図である。
【図４】実施の形態１にかかる通信システムの動作の一例を示すシーケンス図である。
【図５】実施の形態２にかかる基地局の構成例を示すブロック図である。
【図６】図５に示したセル端帯域決定部の構成例を示すブロック図である。
【図７】自セルにおけるＵＥの分布の一例を示す図である。
【図８】図７に示した例におけるセル端帯域の決定の一例を示す図である。
【図９】実施の形態２にかかる通信システムの動作の一例を示すシーケンス図である。
【図１０】実施の形態３にかかるセル端帯域決定部の構成例を示すブロック図である。
【図１１】実施の形態４にかかるセル端帯域決定部の構成例を示すブロック図である。
【図１２】実施の形態５にかかる基地局の構成例を示すブロック図である。
【図１３】実施の形態６にかかる基地局の構成例を示すブロック図である。
【図１４】実施の形態７にかかる自セルを示す図である。
【図１５】他セルに起因する干渉メトリックの計算例を示す図である。
【図１６】帯域ごとの干渉メトリックの計算例を示す図である。
【発明を実施するための形態】
【００１３】
以下に添付図面を参照して、開示の基地局、通信システムおよび通信方法の実施の形態を詳細に説明する。
【００１４】
（実施の形態１）
図１は、実施の形態１にかかる通信システムの構成例を示す図である。図１に示すように、通信システム１００は、基地局１１１〜１１６を含んでいる。基地局１１１〜１１６は、それぞれセル１２１〜１２６を形成し、それぞれ自セルに位置するＵＥとの間で無線通信を行う。また、通信システム１００において、基地局１１１〜１１６のそれぞれは、各ＵＥを受信品質に基づいてセル中心端末とセル端端末に区別して通信を行う。
【００１５】
たとえば、基地局１１１は、セル１２１に位置する各ＵＥのうちの、受信品質が比較的高いＵＥをセル中心端末とし、受信品質が比較的低いＵＥをセル端端末として区別する。具体的には、基地局１１１は、受信品質が閾値以上のＵＥをセル中心端末とし、受信品質が閾値未満のＵＥをセル端端末として区別する。同様に、基地局１１２〜１１６は、それぞれセル１２２〜１２６に位置する各ＵＥのうちの、受信品質が比較的高いＵＥをセル中心端末とし、受信品質が比較的低いＵＥをセル端端末として区別する。
【００１６】
また、基地局１１１は、セル１２１のセル端端末に対する送信電力を、セル１２１のセル中心端末に対する送信電力よりも大きくする。同様に、基地局１１２〜１１６のそれぞれは、自セルのセル端端末に対する送信電力を、自セルのセル中心端末の送信電力よりも大きくする。
【００１７】
また、基地局１１１〜１１６は、自セルのセル端端末が実際に割り当てられる帯域（セル端帯域）を示すセル端帯域情報を互いに送受信する。たとえば、基地局１１１は、セル１２２〜１２６の各セルのセル端帯域情報を基地局１１２〜１１６から受信するとともに、セル１２１のセル端帯域情報を基地局１１２〜１１６へ送信する。セル端帯域情報の送受信は、たとえばＲＮＴＰによって実現することができる。
【００１８】
以下、セル１２２〜１２６をセル１２１の周辺セルとして説明する。セル１２１の周辺セルは、セル１２１の周辺に位置し、セル１２１との間で干渉が生じる可能性があるセルである。周辺セルは、セル１２１との間の関係によりあらかじめ定められている。たとえば、基地局１１１から一定距離以内の地域のセルを周辺セルとして定められる。
【００１９】
通信システム１００においては、全体の周波数帯域（システム帯域）が帯域ｆ1〜ｆ3に分割されているとする。また、符号１３２〜１３６に示すように、基地局１１２〜１１６の各セル端帯域がそれぞれ帯域ｆ3，ｆ2，ｆ1，ｆ2，ｆ1であるとする。したがって、基地局１１１が基地局１１２〜１１６から受信する各セル端帯域情報は、それぞれ帯域ｆ3，ｆ2，ｆ1，ｆ2，ｆ1を示す。なお、それぞれの帯域は周波数軸上で連続していなくともよい。
【００２０】
基地局１１１は、基地局１１２〜１１６からの各セル端帯域情報が示す帯域ｆ3，ｆ2，ｆ1，ｆ2，ｆ1に基づいてセル１２１（自セル）のセル端帯域を決定する。たとえば、基地局１１１は、各セル端帯域情報が示す帯域の数を帯域ごとに積算し、積算結果が小さい帯域を優先的にセル１２１のセル端帯域として決定する。
【００２１】
図１に示す例では、基地局１１２〜１１６から受信した各セル端帯域情報が示すセル端帯域を帯域ごとに積算すると、帯域ｆ1の積算結果が２、帯域ｆ2の積算結果が２、帯域ｆ3の積算結果が１になる。このため、基地局１１１は、たとえば積算結果が最も少ない帯域ｆ3をセル１２１のセル端帯域として決定する。
【００２２】
図２は、セル内のＵＥによる受信品質の測定を示す図である。図２に示すＵＥ２１０は、基地局１１１のセル１２１に位置するＵＥである。ＵＥ２１０は、基地局１１１から送信される参照信号を受信することで受信品質を測定する。ＵＥ２１０は、測定した受信品質を示す受信品質情報を基地局１１１へ送信する。たとえば、基地局１１１は、ＵＥ２１０から受信した受信品質情報に基づいて、ＵＥ２１０をセル中心端末またはセル端端末に区別する。
【００２３】
また、ＵＥ２１０は、セル１２１に位置しているときに、セル１２２の基地局１１２から送信される参照信号を受信してもよい。たとえば、ＵＥ２１０は、基地局１１１から受信する参照信号の受信品質よりも基地局１１２から受信する参照信号の受信品質が高くなると、セル１２１からセル１２２へのハンドオーバを行う。
【００２４】
図３は、実施の形態１にかかる基地局の構成例を示すブロック図である。図３に示すように、基地局１１１は、受信アンテナ３０１と、受信機３０２と、受信処理部３０３と、受信部３０４と、セル端帯域決定部３０５と、送信部３０６と、スケジューラ３０７と、送信信号作成部３０８と、送信機３０９と、送信アンテナ３１０と、を備えている。
【００２５】
基地局間ネットワーク３２０は、基地局１１１〜１１６を互いに接続するネットワークである。基地局間ネットワーク３２０は、たとえば有線のネットワークである。受信機３０２は、基地局１１１のセル１２１（図１参照）に位置する各ＵＥ（たとえば図２のＵＥ２１０）から無線により送信された信号を、受信アンテナ３０１を介して受信する。受信機３０２は、受信した受信信号を受信処理部３０３へ出力する。
【００２６】
受信機３０２によって受信される受信信号には、各ＵＥにおいて測定された基地局１１１からの受信品質を示す受信品質情報（たとえばＳＩＮＲ）が含まれている。受信処理部３０３は、受信機３０２から出力された受信信号に対してチャネル補償や誤り訂正を行うことで受信品質情報を取得し、取得した受信品質情報をスケジューラ３０７へ出力する。
【００２７】
受信部３０４は、基地局間ネットワーク３２０を介して、基地局１１２〜１１６から送信されたセル１２２〜１２６の各セル端帯域情報を受信する。受信部３０４は、各セル端帯域情報を、基地局１１２〜１１６から直接受信してもよいし、基地局１１１〜１１６の上位のサーバなどを介して受信してもよい。受信部３０４は、受信した各セル端帯域情報をセル端帯域決定部３０５へ出力する。
【００２８】
セル端帯域決定部３０５は、受信部３０４から出力された各セル端帯域情報に基づいて、セル１２１（自セル）のセル端帯域を決定する。たとえば、セル端帯域決定部３０５は、セル端帯域情報が示す帯域の数を帯域ごとに積算し、積算結果が小さい帯域ほど優先的にセル端帯域として決定する。具体的には、セル端帯域決定部３０５は、下記（１）式によって帯域ｋごとの干渉メトリックＡkを計算する。
【００２９】
【数１】
0005504753.tif 000002
【００３０】
上記（１）式において、Ｊは、基地局１１１の周辺セルｊの集合（セル１２２〜１２６）を示している。Ｘj,kは、周辺セルｊのセル端帯域情報を示している。ｊは周辺セル（セル１２２〜１２６）のインデックスを示している。ｋは全体の帯域を分割した各帯域のインデックスを示している。Ｘj,kは、周辺セルｊの帯域ｋがセル端帯域である場合は「１」をとり、周辺セルｊの帯域ｋがセル端帯域でない場合は「０」をとる。
【００３１】
たとえば、セル１２２（インデックスを１とする）のセル端帯域が帯域ｆ3（インデックスを２とする）である場合は、基地局１１２からのセル端帯域情報は、Ｘ1,0＝０、Ｘ1,1＝０、Ｘ1,2＝１となる。セル端帯域決定部３０５は、計算した干渉メトリックＡk（積算結果）が小さい帯域ほど優先的に自セルのセル端帯域として決定する。なお、セル端帯域決定部３０５は、自セルのセル端帯域として、全体の帯域を分割した各帯域のうち１つの帯域を選択するとは限らず、複数の帯域を選択してもよい。
【００３２】
セル端帯域決定部３０５は、決定したセル端帯域を示すセル端帯域情報を送信部３０６およびスケジューラ３０７へ出力する。送信部３０６は、セル端帯域決定部３０５から出力された自セルのセル端帯域情報を、基地局間ネットワーク３２０を介して基地局１１２〜１１６へ送信する。これにより、基地局１１２〜１１６のそれぞれも、セル１２１のセル端帯域情報に基づいて自セルのセル端帯域を決定することができる。
【００３３】
スケジューラ３０７、送信信号作成部３０８および送信機３０９は、セル端帯域決定部３０５によって決定されたセル端帯域によってセル１２１のＵＥとの間で通信を行う通信部である。スケジューラ３０７は、各ＵＥへの通信リソース（たとえば周波数リソース）を割り当てる。具体的には、スケジューラ３０７は、受信処理部３０３から出力された受信品質情報が示す受信品質に基づいて、セル１２１の各ＵＥをセル中心端末とセル端端末に区別する。たとえば、スケジューラ３０７は、受信品質が所定の閾値以上のＵＥはセル中心端末とし、受信品質が所定の閾値未満のＵＥはセル端端末として区別する。
【００３４】
また、スケジューラ３０７は、セル端帯域決定部３０５から出力されたセル端帯域情報が示すセル端帯域に対してセル端端末を割り当てる。また、スケジューラ３０７は、セル端端末とは異なる帯域に対してセル中心端末を割り当てる。たとえば、スケジューラ３０７は、セル端帯域とは異なる帯域に対してセル中心端末を割り当てる。ただし、セル端帯域に空きがある場合には、セル端帯域に対してセル中心端末を割り当ててもよい。
【００３５】
また、スケジューラ３０７は、基地局１１１から各ＵＥへの送信電力を決定する。具体的には、スケジューラ３０７は、セル中心端末に割り当てる送信電力よりも大きな送信電力をセル端端末に割り当てる。たとえば、セル端帯域の帯域幅が全体の帯域幅の１／３である場合は、セル端端末に対する送信電力を基準送信電力に対して＋３［ｄＢ］とし、セル中心端末に対する送信電力を−３［ｄＢ］とする。
【００３６】
これにより、全ＵＥの合計の送信電力を変化させずに、セル中心端末との通信に用いる送信電力よりも大きな送信電力を用いてセル端端末と通信を行うことができる。スケジューラ３０７は、周波数リソースと送信電力の各割当結果を示す割当情報を送信信号作成部３０８へ出力する。
【００３７】
送信信号作成部３０８は、スケジューラ３０７から出力された割当情報に基づいて、各ＵＥの送信情報のチャネル符号化や変調を行うことで送信信号を生成する。送信信号作成部３０８は、生成した送信信号を送信機３０９へ出力する。また、送信信号作成部３０８は、スケジューラ３０７から出力された割当情報を送信信号に格納する。
【００３８】
送信機３０９は、送信信号作成部３０８から出力された送信信号を、送信アンテナ３１０を介してセル１２１の各ＵＥへ無線送信する。セル１２１の各ＵＥは、基地局１１１から無線送信された送信信号を受信する。また、セル１２１の各ＵＥは、受信した送信信号に格納された割当情報に基づいて、基地局１１１との間で通信を行う。
【００３９】
セル端帯域決定部３０５およびスケジューラ３０７は、たとえばＤＳＰ（Ｄｉｇｉｔａｌ  Ｓｉｇｎａｌ  Ｐｒｏｃｅｓｓｏｒ）などの演算手段によって実現することができる。また、受信部３０４および送信部３０６は、たとえば有線通信の通信インターフェースによって実現することができる。ここでは基地局１１１の構成例について説明したが、たとえば、基地局１１２〜１１６（図１参照）も基地局１１１と同様の構成を有する。
【００４０】
図４は、実施の形態１にかかる通信システムの動作の一例を示すシーケンス図である。ここでは、セル１２１においてＵＥ２１０がセル端端末に区別されているものとする。図４に示すように、まず、基地局１１２〜１１６のそれぞれが、セル１２２〜１２６のセル端帯域情報を基地局１１１へ送信する（ステップＳ４０１）。
【００４１】
つぎに、基地局１１１が、ステップＳ４０１によって送信されたセル端帯域情報が示す各セル端帯域に基づいて干渉メトリックを計算する（ステップＳ４０２）。つぎに、基地局１１１が、ステップＳ４０２によって計算された干渉メトリックに基づいてセル１２１（自セル）のセル端帯域を決定する（ステップＳ４０３）。
【００４２】
つぎに、基地局１１１が、ステップＳ４０３によって決定されたセル端帯域を示すセル端帯域情報を基地局１１２〜１１６へ送信する（ステップＳ４０４）。つぎに、基地局１１１が、ステップＳ４０３によって決定されたセル端帯域に基づいてＵＥ２１０のスケジューリングを行う（ステップＳ４０５）。つぎに、基地局１１１が、ステップＳ４０５のスケジューリングの結果を示す割当情報をＵＥ２１０へ送信する（ステップＳ４０６）。
【００４３】
つぎに、基地局１１１が、ステップＳ４０６のスケジューリングの結果に基づいてＵＥ２１０へデータを送信する（ステップＳ４０７）。つぎに、ＵＥ２１０が、ステップＳ４０６によって送信された割当情報に基づいて、ステップＳ４０７によって送信されたデータの受信処理を行い（ステップＳ４０８）、一連の動作を終了する。なお、図４に示す各ステップとは別に、基地局１１１は、セル１２１の各ＵＥをセル中心端末とセル端端末とに区別する動作を行っているものとする。
【００４４】
このように、実施の形態１にかかる基地局１１１によれば、周辺セルの各セル端帯域情報を周辺セルの各基地局から受信し、セル端帯域情報が示すセル端帯域に基づいて自セルのセル端帯域を決定することができる。このため、自セルのセル端端末における周辺セルとの干渉を抑えたセル端帯域を容易に決定することが可能になる。
【００４５】
また、周辺セルの各セル端帯域が変化しても、周辺セルの各セル端帯域の変化に対して、自セルのセル端端末における干渉を抑えたセル端帯域を適応的に決定することができる。また、基地局１１１によれば、決定された自セルのセル端帯域を示すセル端帯域情報を周辺セルの各基地局へ送信することで、周辺セルの各基地局においてもセル端端末における干渉を抑えたセル端帯域を容易に決定することができる。
【００４６】
また、基地局１１１は、セル端帯域情報が示す帯域の数を帯域ごとに積算し、積算結果が小さい帯域ほど優先的にセル端帯域として決定する。これにより、周辺セルにおけるセル端帯域としての使用数が少ない帯域を自セルのセル端帯域とすることができるため、自セルのセル端端末における干渉を効率的に抑えたセル端帯域を決定することができる。
【００４７】
（実施の形態２）
図５は、実施の形態２にかかる基地局の構成例を示すブロック図である。図５において、図３に示した構成と同様の構成については同一の符号を付して説明を省略する。図５に示すように、実施の形態２にかかる受信機３０２および受信処理部３０３（電力情報受信部）は、各ＵＥにおいて測定された受信電力を示す受信電力情報を受信する。
【００４８】
受信機３０２および受信処理部３０３によって受信される受信電力情報には、基地局１１２〜１１６からセル１２１の各ＵＥへの受信電力を示す受信電力情報と、基地局１１１からセル１２１の各ＵＥへの受信電力を示す受信電力情報と、が含まれる。受信処理部３０３は、受信した受信電力情報をセル端帯域決定部３０５へ出力する。
【００４９】
セル端帯域決定部３０５は、受信処理部３０３から出力された受信電力情報に基づいて、受信電力が大きい周辺セルほど大きな係数により重み付けして帯域の数を積算する。たとえば、セル端帯域決定部３０５は、下記（２）式によって帯域ｋごとの干渉メトリックＡkを計算する。下記（２）式において、ｗjは、周辺セルｊの重み係数を示している。ｗjは、受信電力が大きい周辺セルほど大きな値とする。
【００５０】
【数２】
0005504753.tif 000003
【００５１】
図６は、図５に示したセル端帯域決定部の構成例を示すブロック図である。図６に示すように、セル端帯域決定部３０５は、重み係数計算部６０１と、干渉メトリック計算部６０２と、セル端帯域選択部６０３と、を備えている。重み係数計算部６０１は、受信処理部３０３から出力された受信電力情報に基づいて、セル１２２〜１２６の各重み係数を計算する。重み係数計算部６０１は、たとえば下記（３）式によって重み係数を計算する。
【００５２】
【数３】
0005504753.tif 000004
【００５３】
上記（３）式において、Ｐi,jは、セル１２１のＵＥiにおける周辺セルｊからの受信電力を示している。Ｐi,servingは、セル１２１のＵＥiにおけるセル１２１（基地局１１１）からの受信電力を示している。Ｔｈｒｅｓｈｏｌｄは閾値を示している。Ｉはセル１２１におけるＵＥiの集合を示している。Ｈ（ｘ）は階段関数を示している。Ｈ（ｘ）は、たとえば下記（４）式によって定義される。
【００５４】
【数４】
0005504753.tif 000005
【００５５】
また、上記（３）式において、Ｌは規格化係数である。規格化係数Ｌは、たとえば下記（５）式を満たすように値が決定される。
【００５６】
【数５】
0005504753.tif 000006
【００５７】
重み係数計算部６０１は、計算したセル１２２〜１２６の重み係数ｗjを干渉メトリック計算部６０２へ出力する。干渉メトリック計算部６０２は、重み係数計算部６０１から出力された重み係数ｗjと、受信部３０４から出力されたセル１２２〜１２６の各セル端帯域情報と、に基づいて帯域ごとの干渉メトリックを計算する。
【００５８】
具体的には、セル端帯域決定部３０５は、上記（３）式によって計算した重み係数ｗjを用いて、上記（２）式によって帯域ｋごとの干渉メトリックＡkを計算する。これにより、干渉メトリック計算部６０２は、周辺セルからの受信電力と、自セルからの受信電力と、の差分が閾値を超えるユーザ端末が多い周辺セルほど大きな係数により重み付けして帯域の数を積算することができる。
【００５９】
干渉メトリック計算部６０２は、計算した帯域ｋごとの干渉メトリックＡkをセル端帯域選択部６０３へ出力する。セル端帯域選択部６０３は、たとえば、干渉メトリック計算部６０２から出力される干渉メトリックＡkが最も小さい帯域ｋをセル端帯域として選択する。セル端帯域選択部６０３は、選択したセル端帯域を示すセル端帯域情報を送信部３０６およびスケジューラ３０７へ出力する。
【００６０】
図７は、自セルにおけるＵＥの分布の一例を示す図である。図７において、図１に示したセル１２５，１２６は省略している。セル１２１におけるセル１２２に近いセル端領域７０１には３台のＵＥが存在している。また、セル１２１におけるセル１２３に近いセル端領域７０２には５台のＵＥが存在している。また、セル１２１におけるセル１２４に近いセル端領域７０３には２台のＵＥが存在している。
【００６１】
グラフ７１１〜７１３は、それぞれセル１２１の各ＵＥにおけるセル１２２〜１２４からの受信電力を示している。ここでは、セル１２２〜１２４のセル端帯域はそれぞれ帯域ｆ2，ｆ1，ｆ3であるとする。このため、グラフ７１１においては帯域ｆ2の受信電力が最も大きくなり、グラフ７１２においては帯域ｆ1の受信電力が最も大きくなり、グラフ７１３においては帯域ｆ3の受信電力が最も大きくなっている。
【００６２】
図７に示す例では、セル１２２の基地局１１２からのセル端帯域情報は、Ｘ1,1＝０、Ｘ1,2＝１、Ｘ1,3＝０となる。また、セル１２３の基地局１１３からのセル端帯域情報は、Ｘ2,1＝１、Ｘ2,2＝０、Ｘ2,3＝０となる。また、セル１２４の基地局１１４からのセル端帯域情報は、Ｘ3,1＝０、Ｘ3,2＝０、Ｘ3,3＝１となる。
【００６３】
また、図７に示す例では、上記（３）式において、セル１２２〜１２４のインデックスｊをそれぞれ１〜３とすると、セル１２２の重み係数ｗ1＝３となり、セル１２３の重み係数ｗ2＝５となり、セル１２４の重み係数ｗ3＝２となる。このように、大きな干渉を受けるセル１２１のＵＥの数が多い周辺セルほど大きな重み係数を割り当てる。
【００６４】
図８は、図７に示した例におけるセル端帯域の決定の一例を示す図である。図８において、横軸は周波数（ｆ）を示し、縦軸は干渉メトリックＡkを示している。図７に示した例においては、図８に示すように、帯域ｋにおける干渉メトリックＡkは、Ａ1＝５、Ａ2＝３、Ａ3＝２となる。この場合は、セル端帯域選択部６０３は、干渉メトリックＡkが最小となる帯域ｆ3（ｋ＝３）をセル端帯域として決定する。したがって、セル１２１（インデックスを０とする）のセル端帯域情報としてＸ0,1＝０、Ｘ0,2＝０、Ｘ0,3＝１を送信部３０６およびスケジューラ３０７へ出力する。
【００６５】
図９は、実施の形態２にかかる通信システムの動作の一例を示すシーケンス図である。ここでは、セル１２１においてＵＥ２１０がセル端端末に区別されているものとする。図９に示すように、まず、セル１２１に位置するＵＥ２１０が、セル１２２〜１２６の基地局１１２〜１１６からの各参照信号と、セル１２１の基地局１１１からの参照信号と、を受信する（ステップＳ９０１）。
【００６６】
つぎに、ＵＥ２１０が、ステップＳ９０１によって受信された各参照信号に基づく各受信電力を測定する（ステップＳ９０２）。つぎに、ＵＥ２１０が、ステップＳ９０２によって測定された各受信電力を示す各受信電力情報を基地局１１１へ送信する（ステップＳ９０３）。つぎに、基地局１１１が、ステップＳ９０３によって送信された各受信電力情報に基づいてセル１２２〜１２６の各重み係数を計算する（ステップＳ９０４）。
【００６７】
図９に示すステップＳ９０５〜Ｓ９１２は、図４に示したステップＳ４０１〜Ｓ４０８と同様であるため説明を省略する。ただし、ステップＳ９０６において、基地局１１１は、ステップＳ９０４によって計算された重み係数により重み付けして干渉メトリックを計算する。なお、図９に示す各ステップとは別に、基地局１１１は、セル１２１の各ＵＥをセル中心端末とセル端端末とに区別する動作を行っているものとする。
【００６８】
このように、実施の形態２にかかる基地局１１１は、周辺セルごとに異なる係数により重み付けして帯域の数を積算する。これにより、実施の形態１と同様の効果を奏するとともに、自セルに対する干渉が大きい周辺セルを優先的に考慮して、自セルのセル端端末における干渉を抑えたセル端帯域を決定することが可能になる。
【００６９】
また、基地局１１１は、自セルのＵＥにおける周辺セルからの受信電力を示す受信電力情報を受信し、受信電力が大きい周辺セルほど大きな係数により重み付けして帯域の数を積算する。これにより、自セルに対する干渉が大きい周辺セルを優先的に考慮して、自セルのセル端端末における干渉をより効率的に抑えたセル端帯域を決定することができる。時々刻々と変化するＵＥの分布に対して、自セルのセル端端末における干渉を抑えたセル端帯域を適応的に決定することができる。
【００７０】
また、基地局１１１は、周辺セルからの受信電力と、自セルからの受信電力と、の差分が閾値を超えるＵＥが多い周辺セルほど大きな係数により重み付けして帯域の数を積算する。これにより、干渉を受けるＵＥが多い周辺セルを優先的に考慮して、自セルのセル端端末における干渉をより効率的に抑えたセル端帯域を決定することができる。
【００７１】
（重み係数の他の計算例）
重み係数計算部６０１は、たとえば下記（６）式によって重み係数ｗjを計算してもよい。下記（６）式において、Ｔpは閾値を示している。
【００７２】
【数６】
0005504753.tif 000007
【００７３】
上記（６）式により、セル１２１のＵＥiにおける周辺セルｊからの信号の受信電力が閾値Ｔpを超えた場合に重み係数ｗjが加算される。これにより、受信電力が大きい周辺セルほど大きな係数により重み付けして帯域の数を積算することができる。このため、自セルに対する干渉が大きい周辺セルを優先的に考慮して、セル１２１のセル端端末における干渉を効率的に抑えたセル端帯域を決定することができる。また、下記（６）式によって重み係数ｗjを計算する場合は、セル１２１のＵＥiにおけるセル１２１（自セル）からの受信電力情報を用いなくてもよいため、情報量を削減することができる。
【００７４】
または、重み係数計算部６０１は、受信処理部３０３（品質情報受信部）によって受信されたＳＩＮＲに基づいて、たとえば下記（７）式によって重み係数ｗjを計算してもよい。下記（７）式において、γiは、セル１２１のＵＥiのＳＩＮＲを示している。
【００７５】
【数７】
0005504753.tif 000008
【００７６】
上記（７）式において、関数ｆ（ｘ，ｙ）は、たとえば下記（８）式によって示すことができる。
【００７７】
【数８】
0005504753.tif 000009
【００７８】
上記（７）式により、セル１２１のＵＥiのうちの、ＳＩＮＲが閾値未満のＵＥの分だけ重み係数ｗjが加算される。したがって、重み係数計算部６０１は、ＳＩＮＲが閾値未満のＵＥが多い周辺セルほど大きな係数により重み付けして帯域の数を積算することができる。これにより、ＳＩＮＲが低いＵＥを優先的に考慮して、セル１２１のセル端端末における干渉を効率的に抑えたセル端帯域を決定することができる。
【００７９】
（実施の形態３）
図１０は、実施の形態３にかかるセル端帯域決定部の構成例を示すブロック図である。図１０において、図６に示した構成と同様の構成については同一の符号を付して説明を省略する。図１０に示すように、実施の形態３にかかるセル端帯域決定部３０５は、図６に示した構成に加えてハンドオーバ情報取得部１００１を備えている。
【００８０】
ハンドオーバ情報取得部１００１は、セル１２１（自セル）とセル１２２〜１２６（周辺セル）との間におけるＵＥのハンドオーバの多さを示すハンドオーバ情報を周辺セルごとに取得する。ハンドオーバ情報は、たとえば、時間当たりのＵＥのハンドオーバ数や、自セルや周辺セルに位置するＵＥ数に対するハンドオーバ数などを示す情報である。
【００８１】
たとえば、基地局１１１のスケジューラ３０７においては、自セルと周辺セルとの間のハンドオーバを常に監視している。ハンドオーバ情報取得部１００１は、スケジューラ３０７からハンドオーバ情報を取得する。ハンドオーバ情報取得部１００１は、取得したハンドオーバ情報を重み係数計算部６０１へ出力する。重み係数計算部６０１は、ハンドオーバ情報取得部１００１から出力されたハンドオーバ情報に基づいて、自セルとの間のハンドオーバが多い周辺セルほど大きな重み係数となるように重み係数ｗjを計算する。
【００８２】
これにより、自セルとの間のハンドオーバが多い周辺セルを優先的に考慮して、セル１２１のセル端端末における干渉を抑えたセル端帯域を決定することができる。ハンドオーバが多い周辺セルは、自セルのセル端端末に対する干渉が大きいと考えられる。このため、自セルとの間のハンドオーバが多い周辺セルを優先的に考慮することで、セル１２１のセル端端末における干渉を効率的に抑えたセル端帯域を決定することができる。
【００８３】
このように、実施の形態３にかかる基地局１１１は、自セルと周辺セルとの間における各ＵＥのハンドオーバの多さを示すハンドオーバ情報を周辺セルごとに取得し、ハンドオーバが多い周辺セルほど大きな係数により重み付けして帯域の数を積算する。これにより、実施の形態１と同様の効果を奏するとともに、自セルのセル端端末における干渉を効率的に抑えたセル端帯域を決定することができる。
【００８４】
（実施の形態４）
図１１は、実施の形態４にかかるセル端帯域決定部の構成例を示すブロック図である。図１１において、図６に示した構成と同様の構成については同一の符号を付して説明を省略する。図１１に示すように、実施の形態４にかかるセル端帯域決定部３０５は、図６に示した重み係数計算部６０１に代えて重み係数記憶部１１０１を備えている。重み係数記憶部１１０１は、周辺セルｊ（セル１２２〜１２６）ごとに重み係数ｗjを対応付けて記憶している。たとえば、重み係数記憶部１１０１は、自セルとの距離（たとえば基地局同士の距離）が近い周辺セルほど大きい重み係数ｗjを対応付けて記憶している。
【００８５】
干渉メトリック計算部６０２は、周辺セルｊ（セル１２２〜１２６）ごとの重み係数ｗjを重み係数記憶部１１０１から読み出し、読み出した重み係数ｗjに基づいて重み付けして帯域の数を積算する。具体的には、干渉メトリック計算部６０２は、重み係数記憶部１１０１から読み出した重み係数ｗjを用いて、上記（２）式によって帯域ｋごとの干渉メトリックＡkを計算する。
【００８６】
このように、実施の形態４にかかる基地局１１１は、周辺セルごとに重み係数を対応付けて記憶しておき、記憶しておいた重み係数に基づいて重み付けして帯域の数を積算する。これにより、実施の形態１と同様の効果を奏するとともに、自セルに対する干渉が大きい周辺セルを優先的に考慮して、自セルのセル端端末における干渉を抑えたセル端帯域を決定することが可能になる。
【００８７】
たとえば、基地局１１１は、自セルとの距離が近い周辺セルほど大きい重み係数を対応付けて記憶しておくことで、自セルに対する干渉が大きい周辺セルを優先的に考慮して、自セルのセル端端末における干渉を効率よく抑えたセル端帯域を決定することができる。
【００８８】
（実施の形態５）
図１２は、実施の形態５にかかる基地局の構成例を示すブロック図である。図１２において、図３に示した構成と同様の構成については同一の符号を付して説明を省略する。図１２に示すように、実施の形態５にかかる受信部３０４（積算結果受信部）は、セル１２２〜１２６（周辺セル）のセル端帯域における各干渉メトリックを受信する。受信部３０４は、受信した各干渉メトリックをセル端帯域決定部３０５へ出力する。セル端帯域決定部３０５は、たとえば下記（９）式により帯域ｋごとの干渉メトリックＡkを計算する。
【００８９】
【数９】
0005504753.tif 000010
【００９０】
上記（９）式において、Ａ′jは、周辺セルｊから受信した、周辺セルｊのセル端帯域の干渉メトリックを示している。上記（９）式により、セル端帯域決定部３０５は、セル１２２〜１２６のセル端帯域における各干渉メトリック（積算結果）によって重み付けして帯域の数を積算することができる。
【００９１】
また、セル端帯域決定部３０５は、自セルのセル端帯域情報とともに、決定した自セルのセル端帯域における干渉メトリックＡk（ｋはセル端帯域）を送信部３０６へ出力する。送信部３０６（積算結果送信部）は、セル端帯域決定部３０５から出力された自セルのセル端帯域情報および干渉メトリックＡkを基地局１１２〜１１６へ送信する。これにより、基地局１１２〜１１６も、セル１２１のセル端帯域における干渉メトリック（積算結果）によって重み付けして帯域の数を積算することができる。
【００９２】
このように、実施の形態５にかかる基地局１１１は、周辺セルの基地局において決定されたセル端帯域の積算結果を受信し、受信された積算結果によって重み付けして帯域の数を積算する。これにより、セル端帯域の干渉メトリックが大きい周辺セルと自セルのセル端帯域が同じになる確率を減らすことができる。このため、実施の形態１と同様の効果を奏するとともに、自セルに対する干渉が大きい周辺セルを優先的に考慮して、自セルのセル端端末における干渉を効率的に抑えたセル端帯域を決定することができる。
【００９３】
また、基地局１１１は、決定した自セルのセル端帯域の積算結果を周辺セルの各基地局へ送信する。これにより、周辺セルの各基地局のそれぞれにおいても、自セルに対する干渉が大きい周辺セルを優先的に考慮して、自セルのセル端端末における干渉を抑えたセル端帯域を決定することが可能になる。
【００９４】
（実施の形態６）
図１３は、実施の形態６にかかる基地局の構成例を示すブロック図である。図１３において、図３に示した構成と同様の構成については同一の符号を付して説明を省略する。図１３に示すように、実施の形態６にかかる受信部３０４（係数受信部）は、基地局１１２〜１１６におけるセル１２１の重み係数を基地局１１２〜１１６から受信する。受信部３０４は、受信した重み係数をセル端帯域決定部３０５へ出力する。セル端帯域決定部３０５は、たとえば下記（１０）式によって帯域ｋごとの干渉メトリックＡkを計算する。
【００９５】
【数１０】
0005504753.tif 000011
【００９６】
上記（１０）式において、ｗ′jは、周辺セルｊの基地局におけるセル１２１の重み係数を示している。上記（１０）式により、セル端帯域決定部３０５は、周辺セルｊにおけるセル１２１の重み係数ｗ′jによって重み付けして帯域の数を積算することができる。
【００９７】
また、セル端帯域決定部３０５は、自セルのセル端帯域情報とともに、基地局１１１における周辺セルごとの重み係数ｗjを送信部３０６へ出力する。送信部３０６（係数送信部）は、セル端帯域決定部３０５から出力された周辺セルごとの重み係数ｗjを、それぞれ対応する周辺セルの基地局１１２〜１１６へ送信する。これにより、基地局１１２〜１１６も、セル１２１におけるセル１２２〜１２６の重み係数ｗjによって重み付けして帯域の数を積算することができる。
【００９８】
また、セル端帯域決定部３０５は、たとえば下記（１１）式によって帯域ｋごとの干渉メトリックＡkを計算してもよい。
【００９９】
【数１１】
0005504753.tif 000012
【０１００】
この場合も、セル端帯域決定部３０５は、周辺セルｊにおけるセル１２１の重み係数ｗ′jによって重み付けして帯域の数を積算することができる。
【０１０１】
このように、実施の形態６にかかる基地局１１１は、周辺セルの基地局における自セルに対応する重み係数によって重み付けして帯域の数を積算する。これにより、自セルの重み係数が大きい周辺セルと自セルのセル端帯域が同じになる確率を減らすことができる。このため、実施の形態１と同様の効果を奏するとともに、自セルに対する干渉が大きい周辺セルを優先的に考慮して、自セルのセル端端末における干渉を抑えたセル端帯域を決定することができる。
【０１０２】
また、基地局１１１は、自局における周辺セルごとの重み係数を、それぞれ対応する周辺セルの各基地局へ送信する。これにより、周辺セルの各基地局のそれぞれにおいても、自セルに対する干渉が大きい周辺セルを優先的に考慮して、自セルのセル端端末における干渉を抑えたセル端帯域を決定することが可能になる。
【０１０３】
（実施の形態７）
図１４は、実施の形態７にかかる自セルを示す図である。図１４に示すように、実施の形態７にかかる基地局１１１のセル１２１は、複数のセクタ（セクタ１４０１，１４０２）を含んでいるとする。セクタ１４０１，１４０２のインデックス番号ｉをそれぞれ１，２とする。セル１２１のセクタ数をＭ（図１４に示す例では２）、帯域の分割数をＮとし、セクタｍのセル端帯域をＦmとすると、セル端帯域Ｆmの組み合わせはＭN通りある。
【０１０４】
セル端帯域決定部３０５は、Ｍ個のセクタのセル端帯域をそれぞれ決定する。たとえば、セル端帯域決定部３０５は、ＭN通りのセル端帯域Ｆmのそれぞれについて、下記（１２）式によって干渉メトリックＡm,Fmを計算する。
【０１０５】
【数１２】
0005504753.tif 000013
【０１０６】
セル端帯域決定部３０５は、計算したＭN通りのＡm,Fmについて、Ｍ個のセクタｍごとにＡm,Fmの最大値を算出する。そして、セル端帯域決定部３０５は、Ｍ個のセクタｍごとのＡm,Fmの最大値が最小となるセル端帯域Ｆmの組み合わせを選択する。または、セル端帯域決定部３０５は、計算したＭN通りのＡm,Fmについて、Ｍ個のセクタｍごとにＡm,Fmの平均値を算出する。そして、セル端帯域決定部３０５は、Ｍ個のセクタｍごとのＡm,Fmの平均値が最小となるセル端帯域Ｆmの組み合わせを選択してもよい。
【０１０７】
セル端帯域決定部３０５は、選択したセル端帯域Ｆmの組み合わせを示すセル端帯域情報を送信部３０６およびスケジューラ３０７へ出力する。以下に、セル端帯域の組み合わせの選択における具体例について説明する。セクタｉにおける帯域ｋの干渉メトリックＡi,kは、たとえば下記（１３）式によって示すことができる。
【０１０８】
【数１３】
0005504753.tif 000014
【０１０９】
上記（１３）式において、ｗijは、セクタｉにおいて計算したセクタｊの重み係数を示している。また、Ｊselfは、自セル（セル１２１）のセクタの集合を示している。Ｊothersは、周辺セル（セル１２２〜１２６）のセクタの集合を示している。また、上記（１３）式において、第一項は干渉メトリックＡi,kに対する自セルの寄与分を示し、第二項は干渉メトリックＡi,kに対する周辺セルの寄与分を示している。
【０１１０】
セクタｉにおけるセクタ数をＭとし、帯域の分割数をＮとすると、セル端帯域の選び方（上述したセル端帯域Ｆm）はＭN通りある。セル端帯域の選び方のインデックスをｌとし、セクタｉにおけるセル端帯域のインデックスをｆl（ｉ）で示す。選び方ｌを選択した場合のセル端帯域ｆl（ｉ）における干渉メトリックＡi(l)は、たとえば下記（１４）式によって示すことができる。
【０１１１】
【数１４】
0005504753.tif 000015
【０１１２】
上記（１４）式において、Ｘj,k(l)は、選び方ｌを選択した場合のセクタｊにおけるセル端帯域を示すセル端帯域情報である。セル端帯域決定部３０５は、たとえば下記（１５）式を用いて、干渉メトリックＡi(l)のセル内における最大値を最も小さくする選び方ｌを選択する。
【０１１３】
【数１５】
0005504753.tif 000016
【０１１４】
以下に、セクタ数Ｍ＝２（図１４参照）、帯域の分割数Ｎ＝３とした場合の例を示す。この場合は、セクタ１（セクタ１４０１）のセル端帯域における干渉メトリックは下記（１６）式のようになり、セクタ２（セクタ１４０２）のセル端帯域における干渉メトリックは下記（１７）式のようになる。
【０１１５】
【数１６】
0005504753.tif 000017
【０１１６】
【数１７】
0005504753.tif 000018
【０１１７】
さらに、セル端帯域の選び方ｌ＝０、すなわちセクタ１およびセクタ２が帯域０をセル端帯域として決定すると、上記（１６）式は下記（１８）式のようになり、上記（１７）式は下記（１９）式のようになる。
【０１１８】
【数１８】
0005504753.tif 000019
【０１１９】
【数１９】
0005504753.tif 000020
【０１２０】
図１５は、他セルに起因する干渉メトリックの計算例を示す図である。図１５に示すテーブル１５００は、セクタｉ（ｉ＝１，２）と、帯域ｋ（ｋ＝０，１，２）と、他セルに起因する干渉メトリックＡi,k(others)の計算例と、の対応を示している。セクタ１におけるセクタ２の重み係数をｗ12＝３とし、セクタ２におけるセクタ１の重み係数をｗ21＝６とする。また、他セルに起因する干渉メトリックＡi,k(others)についての計算結果がテーブル１５００に示す通りであるとする。この場合は、上記（１８）式は下記（２０）式のようになり、上記（１９）式は下記（２１）式のようになる。
【０１２１】
【数２０】
0005504753.tif 000021
【０１２２】
【数２１】
0005504753.tif 000022
【０１２３】
図１６は、帯域ごとの干渉メトリックの計算例を示す図である。図１６に示すテーブル１６００においては、セル端帯域の選び方ｌと、セクタ１，２におけるセル端帯域の各インデックスと、セクタ１，２における各干渉メトリックと、セクタごとの干渉メトリックの最大値の計算結果と、の対応を示している。
【０１２４】
たとえば、セル端帯域の選び方ｌ＝０の場合は、セクタ１，２におけるセル端帯域の各インデックスは０，０であり、セクタ１，２における各干渉メトリックは８，１０であり、セクタごとの干渉メトリックの最大値の計算結果は１０である。テーブル１６００に示すように、セクタごとの干渉メトリックの最大値は、セル端帯域の選び方ｌ＝１の場合に最小の５となる。したがって、セル端帯域決定部３０５は、セクタ１のセル端帯域のインデックスを０と決定し、セクタ２のセル端帯域のインデックスを１と決定する。
【０１２５】
このように、セル端帯域決定部３０５は、セクタ１とセクタ２の各干渉メトリックをまとめて最適化するセル端帯域の組み合わせを決定する。これにより、セクタ１とセクタ２においてセル端端末における干渉を均等に抑えたセル端帯域を決定することができる。ただし、セル端帯域決定部３０５は、セクタ１とセクタ２の各干渉メトリックを順番に最適化することも可能である。
【０１２６】
たとえば、最適化前の初期値としてセクタ１とセクタ２のセル端帯域がともに０であると仮定する。セル端帯域決定部３０５は、セクタ２のセル端帯域が０なので、最も干渉メトリックが小さくなるセル端帯域２をセクタ１のセル端帯域として選択する（ｌ＝０，３，６の比較）。つぎに、セル端帯域決定部３０５は、セクタ１のセル端帯域が２なので、最も干渉メトリックが小さくなるセル端帯域１をセクタ２のセル端帯域として選択する（ｌ＝６，７，８の比較）。
【０１２７】
このように、実施の形態７にかかる基地局１１１によれば、自セルが複数のセクタを含む場合において、自セルのセル端端末における干渉を抑えたセクタごとのセル端帯域を決定することができる。また、基地局１１１は、セクタごとの積算結果の最大値を算出し、算出したセクタごとの最大値が最小となるようにセクタごとのセル端帯域をそれぞれ決定する。これにより、セクタごとのセル端端末の干渉を均等に抑えたセル端帯域を決定することができる。
【０１２８】
または、基地局１１１は、セクタごとの積算結果の平均値を算出し、算出したセクタごとの平均値が最小となるようにセクタごとのセル端帯域をそれぞれ決定するようにしてもよい。これにより、セクタごとのセル端端末の干渉を全体的に抑えたセル端帯域を決定することができる。
【０１２９】
以上説明したように、基地局、通信システムおよび通信方法によれば、セル端端末の干渉を抑えることができる。なお、上述した各実施の形態においては、各ＵＥを受信品質の閾値によってセル端端末とセル中心端末に区別する例について説明したが、セル端端末を受信品質に基づいてセル端端末とセル中心端末に区別する方法はこれに限らない。
【０１３０】
たとえば、各ＵＥのうちの受信品質が低い順に所定数のＵＥをセル端端末とし、それ以外のＵＥをセル中心端末としてもよい。または、各ＵＥのうちの受信品質が低い順に所定割合の数のＵＥをセル端端末とし、それ以外のＵＥをセル中心端末としてもよい。また、受信品質は、ＳＩＮＲに限らず、受信電力やエラーレートなどであってもよい。
【０１３１】
上述した実施の形態に関し、さらに以下の付記を開示する。
【０１３２】
（付記１）各ユーザ端末を受信品質に基づいてセル中心端末とセル端端末に区別する通信システムの基地局において、
他の基地局から送信される、周辺セルのセル端端末が前記周辺セルで実際に割り当てられているセル端帯域を示すセル端帯域情報を受信する受信部と、
前記受信部によって受信される複数の周辺セルの前記セル端帯域情報に基づいて自セルのセル端帯域を決定する決定部と、
前記決定部によって決定されたセル端帯域によって自セルのセル端端末との間で通信を行う通信部と、
を備えることを特徴とする基地局。
【０１３３】
（付記２）前記決定されたセル端帯域を示すセル端帯域情報を前記周辺セルの基地局へ送信する送信部を備えることを特徴とする付記１に記載の基地局。
【０１３４】
（付記３）前記通信部は、前記セル端端末とは異なる帯域によって自セルのセル中心端末との間で通信を行い、
前記通信部は、前記セル中心端末との通信に用いる送信電力よりも大きな送信電力を用いて前記セル端端末と通信を行うことを特徴とする付記１または２に記載の基地局。
【０１３５】
（付記４）前記受信部は、複数の周辺セルからの前記セル端帯域情報を受信し、
前記決定部は、前記セル端帯域情報が示す帯域の数を帯域ごとに積算し、積算結果が小さい帯域ほど優先的に前記セル端帯域として決定することを特徴とする付記１〜３のいずれか一つに記載の基地局。
【０１３６】
（付記５）前記決定部は、前記周辺セルごとに異なる係数により重み付けして前記帯域の数を積算することを特徴とする付記４に記載の基地局。
【０１３７】
（付記６）自セルのユーザ端末において測定された前記周辺セルからの受信電力を示す受信電力情報を受信する電力情報受信部を備え、
前記決定部は、前記電力情報受信部によって受信された受信電力情報に基づいて、前記受信電力が大きい端末が多い周辺セルほど大きな係数により重み付けして前記帯域の数を積算することを特徴とする付記４に記載の基地局。
【０１３８】
（付記７）自セルのユーザ端末において測定された前記周辺セルからの受信電力と自セルからの受信電力を示す受信電力情報を受信する電力情報受信部を備え、
前記決定部は、前記電力情報受信部によって受信された受信電力情報に基づいて、前記周辺セルからの受信電力と、前記自セルからの受信電力と、の差分が閾値を超えるユーザ端末が多い周辺セルほど大きな係数により重み付けして前記帯域の数を積算することを特徴とする付記４に記載の基地局。
【０１３９】
（付記８）自セルの各ユーザ端末のＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）を受信する品質情報受信部を備え、
前記決定部は、前記品質情報受信部によって受信されたＳＩＮＲに基づいて、ＳＩＮＲが閾値未満のユーザ端末が多い周辺セルほど大きな係数により重み付けして前記帯域の数を積算することを特徴とする付記４〜７のいずれか一つに記載の基地局。
【０１４０】
（付記９）自セルと前記周辺セルとの間における前記各ユーザ端末のハンドオーバの多さを示すハンドオーバ情報を前記周辺セルごとに取得する取得部を備え、
前記決定部は、前記取得部によって取得されたハンドオーバ情報に基づいて、自セルとの間における前記各ユーザ端末のハンドオーバが多い周辺セルほど大きな係数により重み付けして前記帯域の数を積算することを特徴とする付記４に記載の基地局。
【０１４１】
（付記１０）前記周辺セルごとに前記係数を対応付けて記憶する記憶部を備え、
前記決定部は、前記記憶部によって記憶された係数に基づいて重み付けして前記帯域の数を積算することを特徴とする付記５に記載の基地局。
【０１４２】
（付記１１）前記記憶部は、自セルとの距離が近い周辺セルほど大きい係数を対応付けて記憶していることを特徴とする付記１０に記載の基地局。
【０１４３】
（付記１２）前記周辺セルの基地局において決定されたセル端帯域の前記積算結果を受信する積算結果受信部を備え、
前記決定部は、前記積算結果受信部によって受信された積算結果によって重み付けして前記帯域の数を積算することを特徴とする付記４に記載の基地局。
【０１４４】
（付記１３）前記決定部によって決定されたセル端帯域の前記積算結果を前記周辺セルの基地局へ送信する積算結果送信部を備えることを特徴とする付記１２に記載の基地局。
【０１４５】
（付記１４）前記周辺セルの基地局における自セルに対応する係数を受信する係数受信部を備え、
前記決定部は、前記係数受信部によって受信された係数によって重み付けして前記帯域の数を積算することを特徴とする付記４に記載の基地局。
【０１４６】
（付記１５）自局における前記周辺セルごとの前記係数を、それぞれ対応する周辺セルの基地局へ送信する係数送信部を備えることを特徴とする付記１４に記載の基地局。
【０１４７】
（付記１６）自セルは複数のセクタを含み、
前記決定部は、前記セクタごとのセル端帯域をそれぞれ決定することを特徴とする付記１〜１５のいずれか一つに記載の基地局。
【０１４８】
（付記１７）自セルは複数のセクタを含み、
前記決定部は、前記セクタごとの前記積算結果の最大値を算出し、算出した前記セクタごとの最大値が最小となるように前記セクタごとのセル端帯域をそれぞれ決定することを特徴とする付記４に記載の基地局。
【０１４９】
（付記１８）自セルは複数のセクタを含み、
前記決定部は、前記セクタごとの前記積算結果の平均値を算出し、算出した前記セクタごとの平均値が最小となるように前記セクタごとのセル端帯域をそれぞれ決定することを特徴とする付記４に記載の基地局。
【０１５０】
（付記１９）受信品質に基づいてセル中心端末とセル端端末に区別されるユーザ端末と、
他の基地局から送信される、周辺セルでセル端端末に実際に割り当てられているセル端帯域を示すセル端帯域情報を受信し、複数の周辺セルの前記セル端帯域情報が示す帯域に基づいて決定したセル端帯域によって自セルのセル端端末との間で通信を行う基地局と、
を含むことを特徴とする通信システム。
【０１５１】
（付記２０）各ユーザ端末を受信品質に基づいてセル中心端末とセル端端末に区別する通信システムにおいて、
他の基地局から送信される、周辺セルでセル端端末に実際に割り当てられているセル端帯域を示すセル端帯域情報を受信し、複数の周辺セルの前記セル端帯域情報が示す帯域に基づいて決定したセル端帯域によって自セルのセル端端末との間で通信を行う複数の基地局を含むことを特徴とする通信システム。
【０１５２】
（付記２１）各ユーザ端末を受信品質に基づいてセル中心端末とセル端端末に区別する通信システムの基地局の通信方法において、
他の基地局から送信される、周辺セルのセル端端末が前記周辺セルで実際に割り当てられているセル端帯域を示すセル端帯域情報を受信する受信工程と、
前記受信工程によって受信された複数の周辺セルの前記セル端帯域情報に基づいて、自セルのセル端帯域を決定する決定工程と、
前記決定工程によって決定されたセル端帯域によって自セルのセル端端末との間で通信を行う通信工程と、
を含むことを特徴とする通信方法。
【符号の説明】
【０１５３】
１００  通信システム
１１１〜１１６  基地局
１２１〜１２６  セル
２１０  ＵＥ
３０１  受信アンテナ
３１０  送信アンテナ
３２０  基地局間ネットワーク
７０１〜７０３  セル端領域
ｆ1〜ｆ3  帯域
【図１】
0005504753.tif 000023
【図２】
0005504753.tif 000024
【図３】
0005504753.tif 000025
【図４】
0005504753.tif 000026
【図５】
0005504753.tif 000027
【図６】
0005504753.tif 000028
【図７】
0005504753.tif 000029
【図８】
0005504753.tif 000030
【図９】
0005504753.tif 000031
【図１０】
0005504753.tif 000032
【図１１】
0005504753.tif 000033
【図１２】
0005504753.tif 000034
【図１３】
0005504753.tif 000035
【図１４】
0005504753.tif 000036
【図１５】
0005504753.tif 000037
【図１６】
0005504753.tif 000038